(57)【特許請求の範囲】
【請求項１】
少なくとも一対の支柱と、
該一対の支柱に架け渡される梁枠体と、
該梁枠体に沿って配設されて、前記梁枠体の長手方向と同一の方向に延在し、延在方向に連なるように設けられる複数の足場板と、
前記支柱に固定され、前記複数の足場板の少なくとも一つと前記梁枠体との離間を抑制する離間抑制部材と、を備え、
前記複数の足場板は、隣接する足場板を連結する連結部を有し、
前記離間抑制部材は、
前記梁枠体上に設けられた前記足場板の上側に接触して押さえる押さえ部と、
前記押さえ部に接続されて前記支柱にクランプするクランプ部と、
前記離間抑制部材が前記支柱に固定された状態において、略鉛直に延在する鉛直部と、
前記クランプ部と前記鉛直部の間に設けられ、他の部材を取り付け可能とする係止ホルダーと、を有し、
前記押さえ部は、前記離間抑制部材が前記支柱に固定された状態において、略水平に延在し、
前記鉛直部は、前記押さえ部に接続されていることを特徴とする仮設足場。
【請求項２】
前記連結部は、前記隣接する足場板の一方が有する突出部と、前記隣接する足場板の他方が有して前記突出部に嵌合する嵌合部と、から構成されており、
前記突出部及び前記嵌合部は、前記隣接する足場板において対向するそれぞれの端部に対を成して設けられており、
前記複数の足場板は、足場となる上板と、該上板との間で前記突出部を挟持する配置で取り付けられた受け部と、を有し、
該受け部は、前記隣接する足場板における互いに対向するそれぞれの端部に設けられており、前記足場板の短手方向の一側において前記上板との間に前記突出部を挟持し、前記足場板の短手方向の他側において前記上板との間に前記嵌合部としての嵌め合い隙間を形成していることを特徴とする請求項１に記載の仮設足場。
【請求項３】
前記離間抑制部材は、前記延在方向に連なる前記複数の足場板のうち、両端にある前記足場板と前記梁枠体との離間を抑制していることを特徴とする請求項１又は２に記載の仮設足場。
【請求項４】
前記突出部は板状であり、
前記足場板には、前記突出部の下方に、他の部材を前記梁枠体に取り付け可能とするスペースが形成されていることを特徴とする請求項２に記載の仮設足場。
【請求項５】
前記梁枠体は、前記梁枠体の短手方向の両側において前記足場板側に突出する係止突出部を有し、
前記上板は、前記足場板の短手方向の両側に前記梁枠体側に延出して前記係止突出部に係止される延出部を有し、
該延出部には、前記スペースを外部に開放するように切欠きが形成されていることを特徴とする請求項４に記載の仮設足場。
【発明の詳細な説明】
【技術分野】
【０００１】
本発明は、仮設足場に係り、特に建物の建築やメンテナンス作業を室外側から行う際に用いられる仮設足場に関する。
【背景技術】
【０００２】
住宅等の建物の建築時や建築後のメンテナンス時において、室外側から施工作業をおこなうために建築足場が仮設される。
このような建築足場は、一般に、所定の間隔で立設された単管支柱と梁部材とを縦横に組み合わせ、梁部材に踏み板を仮設して構築される。
【０００３】
例えば、特許文献１には、狭小地用の仮設足場として、一対の支柱と、一対の支柱に連結された梁枠体と、梁枠体上に固定される足場板と、から構成される仮設足場が開示されている。この仮設足場における足場板と梁枠体とは、梁枠体に設けられた足場板ホルダーの壁部に、足場板に形成された溝を係止させるようにして連結される。
また、特許文献２の第６図などには、隣接する足場の一方における他方に対向する側の端部に設けられた凸部と、他方における一方に対向する側の端部に設けられた凹部とを嵌合させて組み付け可能な足場板の記載がある。
【先行技術文献】
【特許文献】
【０００４】
【特許文献１】特開２０１６−６９９５２号公報
【特許文献２】実開平１−９０９４３号公報
【発明の概要】
【発明が解決しようとする課題】
【０００５】
特許文献１の仮設足場においては、足場板の溝を形成する延出部が弾性による保持力を高めるために湾曲して形成されている。このため、壁部に係止可能となるように溝を一定の形状に形成することが困難であった。よって、溝の寸法誤差により、足場板を足場板ホルダーに係止させて組み付けることは困難であった。そして、梁枠体に対する足場板のぐらつきの発生を抑制することは難しかった。
【０００６】
また、特許文献２の足場板においては、隣接する足場の端部に設けられた凸部と凹部とによって、隣接する足場同士の嵌合は容易にできるが、足場全体としてのぐらつきを抑制することは困難であった。
【０００７】
本発明は、上記の課題に鑑みてなされたものであり、本発明の目的は、簡単な構成によりぐらつきを抑制することが可能な仮設足場を提供することにある。
【課題を解決するための手段】
【０００８】
前記課題は、本発明の仮設足場によれば、少なくとも一対の支柱と、該一対の支柱に架け渡される梁枠体と、該梁枠体に沿って配設されて、前記梁枠体の長手方向と同一方向に延在し、延在方向に連なるように設けられる複数の足場板と、前記支柱に固定され、前記複数の足場板の少なくとも一つと前記梁枠体との離間を抑制する離間抑制部材と、を備え、前記複数の足場板は、隣接する足場板を連結する連結部を有し、前記離間抑制部材は、前記梁枠体上に設けられた前記足場板の上側に接触して押さえる押さえ部と、前記押さえ部に接続されて前記支柱にクランプするクランプ部と、前記離間抑制部材が前記支柱に固定された状態において、略鉛直に延在する鉛直部と、前記クランプ部と前記鉛直部の間に設けられ、他の部材を取り付け可能とする係止ホルダーと、を有し、前記押さえ部は、前記離間抑制部材が前記支柱に固定された状態において、略水平に延在し、前記鉛直部は、前記押さえ部に接続されていることにより解決される。
【０００９】
上記構成によれば、複数の足場板のうち隣接する足場板同士が連結部により連結され、離間抑制部材により複数の足場板の少なくとも一つと梁枠体との離間が抑制されていることで、簡単な構成により、足場板のぐらつきを全体的に抑制することができる。
また、上記構成によれば、足場板の上側に接触する押さえ部により、足場板と梁枠体との離間を好適に抑制することができる。
また、上記構成によれば、離間抑制部材がクランプ部を備えることにより、クランプ部によって、支柱の自由な位置に離間抑制部材を取り付けて、足場板と梁枠体との離間を抑制することが可能となる。
また、上記構成によれば、離間抑制部が、略水平に延在する押さえ部と鉛直部とから構成されていることで、クランプ部との接続部から離れた位置で、足場板を押さえることができ、押さえ部と他の部材との位置的な干渉を抑制することができる。
【００１０】
また、前記連結部は、前記隣接する足場板の一方が有する突出部と、前記隣接する足場板の他方が有して前記突出部に嵌合する嵌合部と、から構成されており、前記突出部及び前記嵌合部は、前記隣接する足場板において対向するそれぞれの端部に対を成して設けられており、前記複数の足場板は、足場となる上板と、該上板との間で前記突出部を挟持する配置で取り付けられた受け部と、を有し、該受け部は、前記隣接する足場板における互いに対向するそれぞれの端部に設けられており、前記足場板の短手方向の一側において前記上板との間に前記突出部を挟持し、前記足場板の短手方向の他側において前記上板との間に前記嵌合部としての嵌め合い隙間を形成していてもよい。
上記構成によれば、上板と受け部とによって、突出部を挟持可能としつつ、嵌め合い隙間を形成していることで、嵌合部のための別個の部品を必要とせず、部品点数の少ない簡単な構成で隣接する足場板を連結することができる。
【００１４】
また、前記離間抑制部材は、前記延在方向に連なる前記複数の足場板のうち、両端にある前記足場板と前記梁枠体との離間を抑制していると好ましい。
上記構成によれば、延在方向に連なる複数の足場板のうち両端にある足場板について、梁枠体からの離間を抑制することで、足場板の全体としてのぐらつきを抑制しやすくなる。
【００１５】
また、前記突出部は板状であり、前記足場板には、前記突出部の下方に、他の部材を前記梁枠体に取り付け可能とするスペースが形成されていてもよい。
上記構成によれば、突出部が板状に形成されていることで、突出部の下方に他の部材を梁枠体に取り付け可能とするスペースを確保することができ、仮設足場の拡張性を高めることができる。
【００１６】
また、前記梁枠体は、前記梁枠体の短手方向の両側において前記足場板側に突出する係止突出部を有し、前記上板は、前記足場板の短手方向の両側に前記梁枠体側に延出して前記係止突出部に係止される延出部を有し、該延出部には、前記スペースを外部に開放するように切欠きが形成されていてもよい。
上記構成によれば、延出部にスペースを開放する切欠きが形成されていることで、延出部を係止突出部に係止させつつ、切欠きを介してスペース部分に他の部材を通すことができるため、足場板を梁枠体に係止しやすくできるとともに、他の部材を梁枠体に取り付けやすくなる。
【発明の効果】
【００１７】
本発明によれば、簡単な構成により、足場板のぐらつきを全体的に抑制することが可能な仮設足場を提供することができる。
また、部品点数の少ない簡単な構成で隣接する足場板を連結することができる。
また、足場板と梁枠体との離間を好適に抑制することができる。
また、押さえ部と他の部材との位置的な干渉を抑制することができる。
また、支柱の自由な位置に離間抑制部材を取り付けて、足場板と梁枠体との離間を抑制することが可能となる。
また、仮設足場の拡張性を高めることができる。
また、足場板を梁枠体に係止しやすくできるとともに、他の部材を梁枠体に取り付けやすくなる。
【図面の簡単な説明】
【００１８】
【図１】（ａ）は、本発明の一実施形態に係る梁枠体を示す平面図、（ｂ）は、梁枠体の側面図である。
【図２】梁枠体を構成する端部梁枠と中央梁枠との連結状態を示し、足場板を載せる状態を示す斜視説明図である。
【図３】（ａ）は、足場板の端部を示す斜視図、（ｂ）は、隣接する足場板同士を連結した状態を示す斜視図である。
【図４】（ａ）は、足場板を構成する本体を示す正面図、（ｂ）は、本体の平面図、（ｃ）は、本体の側面図である。
【図５】（ａ）は、足場板を構成する蓋体を示す正面図、（ｂ）は、蓋体の平面図、（ｃ）は、蓋体の側面図である。
【図６】（ａ）は、足場板を構成する受け部を示す正面図、（ｂ）は、受け部の平面図である。
【図７】足場板を構成するプレートを示す平面図である。
【図８】取付補強プレートを示す側面図である。
【図９】（ａ）は、足場板を示す正面図、（ｂ）は、足場板の平面図、（ｃ）は、足場板の側面図である。
【図１０】支柱に取り付けられたクランプ部材によって固定された状態の端側足場板を示す斜視図である。
【図１１】クランプ部材の一例を示す斜視図である。
【図１２】クランプ部材の他の例を示す斜視図である。
【図１３】（ａ）は、第１変形例の蓋体の嵌合部分を示す斜視図、（ｂ）は、隣接する蓋体の嵌合状態を示す斜視図である。
【図１４】（ａ）は、第２変形例の蓋体の嵌合部分を示す斜視図、（ｂ）は、隣接する蓋体の嵌合状態を示す斜視図である。
【図１５】（ａ）は、第３変形例の蓋体の嵌合部分を示す斜視図、（ｂ）は、隣接する蓋体の嵌合状態を示す斜視図である。
【発明を実施するための形態】
【００１９】
本発明は、建物の建築やメンテナンス作業を室外側から行う際に用いられる仮設足場に関するものである。
以下に、本発明の実施形態に係る仮設足場について説明する。なお、以下に示す実施形態は、本発明の理解を容易にするためのものであり、本発明を限定するものではない。本発明は、その趣旨を逸脱することなく、変更、改良され得るとともに、本発明には各実施形態、変形例に係る特徴を組み合わせたもの、その等価物が含まれることは勿論である。
【００２０】
＜梁枠体と足場板について＞
まず、図１及び図２を参照して、本実施形態に係る仮設足場１を構成する梁枠体３と、足場板６について説明する。なお、図１（ａ）は、本発明の一実施形態に係る梁枠体３を示す平面図、図１（ｂ）は、梁枠体３の側面図、図２は、梁枠体３を構成する端部梁枠４と中央梁枠５との連結状態を示し、足場板６を載せる状態を示す斜視説明図である。
【００２１】
本実施形態に係る仮設足場１は、建築作業やメンテナンス作業を室外側から行うときに用いられる狭小地用の仮設足場である。
本実施形態の仮設足場１は、図１（ｂ）に示す一対の支柱２と、一対の支柱２に両端が連結される梁枠体３と、梁枠体３上に固定される図２に示す足場板６と、を備えている。
支柱２は、図１（ｂ）に示すように、鋼製の丸パイプ状体からなり、作業対象の建物と隣接構造物との隙間にあって、作業範囲の両端の地面の２カ所に固定される。支柱２には、梁枠体３の端部に形成された係止片４５が係止される略筒状の係止ホルダー２１が設けられている。
【００２２】
本実施形態では、梁枠体３は、長さ方向に３つに分割されており、一対の端部梁枠４と、一対の端部梁枠４に挟まれる中央梁枠５と、を備えている。梁枠体３並びに構成部品としての端部梁枠４及び中央梁枠５についての下記に示す事項以外の詳細は、特開２０１６−６９９５２号公報に開示されているため、その詳細な説明を省略する。
端部梁枠４は、中央梁枠５に接続される側とは逆側にある端部に、端部梁枠４を支柱２に連結するための係止片４５を備える。係止片４５は、端部が下方を向いており、係止片４５の下端側を支柱２の係止ホルダー２１に挿入されることで、係止ホルダー２１に係止される。
【００２３】
端部梁枠４及び中央梁枠５の上部には、図１及び図２に示すように、足場板６を固定するための足場板ホルダー３６が、長手方向において所定の間隔をおいて、溶接により固定されている。足場板ホルダー３６は、梁枠体３の短手（幅）方向両側に係止突出部としての壁部３６ｂを有して、断面略コの字状に形成されており、上方に開放側が向くように端部梁枠４及び中央梁枠５に固定されている。足場板ホルダー３６は、足場板６を下方から好適に支持可能なように、足場板６を構成する後述する本体６１の底部６１ａ及び側部６１ｂの下面側に沿うように形成されている。具体的には、本体６１における底部６１ａに対して傾斜して延在する側部６１ｂに沿うように、足場板ホルダー３６は、壁部３６ｂの開き度合いが上方に向かうにつれて大きくなるように形成されている。
【００２４】
そして、足場板６は、図２に示すように、上方から梁枠体３に取り付けられて梁枠体３の長手方向に連なるように配設される。具体的には、本実施形態において、足場板６を構成する２枚の端側足場板６ａと、その間に設けられた中央足場板６ｂは、足場板ホルダー３６に下方から支持されるように、梁枠体３を構成する２個の端部梁枠４及び中央梁枠５に上方から取り付けられる。
【００２５】
＜足場板同士の連結構造について＞
次に、図３を参照して、隣接する端側足場板６ａと中央足場板６ｂとの連結構造について説明する。なお、図３（ａ）は、足場板６（端側足場板６ａ）の端部を示す斜視図、図３（ｂ）は、隣接する足場板６同士（端側足場板６ａと中央足場板６ｂ）を連結した状態を示す斜視図である。
【００２６】
端側足場板６ａ及び中央足場板６ｂにおける、長手方向（延在方向ともいう。）のうち、互いに対向するそれぞれの端部には、他の部位よりも長手方向外側に突出するプレート６３が取り付けられている。このプレート６３は、本願発明に係る突出部及び連結部に相当し、足場板６における上板としての蓋体６２に沿う向きで、後述する受け部６４と蓋体６２とに挟持されるように、後述するリベットＲ４によって略水平向きに取り付けられている。特に、プレート６３は、蓋体６２の短手方向における中央よりも一側に偏って取り付けられている。
【００２７】
このように、受け部６４と蓋体６２との間において、プレート６３が蓋体６２の短手方向における中央よりも一側に偏って取り付けられていることで、蓋体６２の短手方向における中央よりも他側に隙間が形成されることとなる。
端側足場板６ａ側に形成されたこの隙間は、図３（ｂ）に示すように、端側足場板６ａに隣接する中央足場板６ｂに取り付けられたプレート６３が嵌合する嵌合部であり、端側足場板６ａと中央足場板６ｂとを連結する連結部である嵌め合い隙間ＣＬとして機能することとなる。
同様に、中央足場板６ｂにおいて、蓋体６２の短手方向における中央よりも一側に形成された嵌め合い隙間ＣＬに、端側足場板６ａの蓋体６２に取り付けられたプレート６３が嵌まることとなる。
このように、対を成して設けられたプレート６３と嵌め合い隙間ＣＬとによって、端側足場板６ａと中央足場板６ｂとが連結されている。そして、端側足場板６ａ及び中央足場板６ｂの一方のプレート６３と、他方の受け部６４の上面及び蓋体６２の下面とが面接触することにより、端側足場板６ａと中央足場板６ｂとの上下方向の相対的なぐらつきが抑制されることとなる。
【００２８】
＜足場板の構成部品について＞
次に、図４〜図９を参照して、足場板６のうち、中央足場板６ｂの各構成部品について詳細に説明する。なお、端側足場板６ａについては、中央足場板６ｂに接続される側に、後述するプレート６３及び受け部６４が取り付けられ、その逆側にこれらが取り付けられていない点が中央足場板６ｂと主に異なる点である。よって、重複した説明を回避するため、端側足場板６ａの構成の説明を省略する。
【００２９】
ここで、図４（ａ）は、足場板６（中央足場板６ｂ）を構成する本体６１を示す正面図、図４（ｂ）は、本体６１の平面図、図４（ｃ）は、本体６１の側面図である。そして、図５（ａ）は、足場板６（中央足場板６ｂ）を構成する蓋体６２を示す正面図、図５（ｂ）は、蓋体６２の平面図、図５（ｃ）は、蓋体６２の側面図である。さらに、図６（ａ）は、足場板６（中央足場板６ｂ）を構成する受け部６４を示す正面図、図６（ｂ）は、受け部６４の平面図である。また、図７は、足場板６を構成するプレート６３を示す平面図、図８は、取付補強プレート６５を示す側面図である。そして、図９（ａ）は、足場板６（中央足場板６ｂ）を示す正面図、図９（ｂ）は、足場板６の平面図、図９（ｃ）は、足場板６の側面図である。
【００３０】
中央足場板６ｂは、図９に示すように、断面が略逆Ω状の本体６１と、本体６１を上方から覆う断面コの字状の蓋体６２と、によって主に構成された蓋付きの箱状の形状を有する。この本体６１と蓋体６２とは、後述のように、所謂ブラインドリベットであるリベットＲ１によって固定されている。
【００３１】
本体６１は、図４に示すように、長板状の底部６１ａと、底部６１ａの短手方向両端から斜め上方に延在する一対の側部６１ｂと、一対の側部６１ｂの上端から底部６１ａに平行に短手方向外側に延在する縁部６１ｃと、縁部６１ｃの短手方向外側端部から垂直に垂れ下がるように延在する垂下部６１ｄと、から構成されている。
【００３２】
特に、底部６１ａの短手方向両側から斜めに延在する一対の側部６１ｂにおける、底部６１ａに対する傾斜角度は約１１０°である。この一対の側部６１ｂの傾斜角度及び間隔は、足場板ホルダー３６の一対の壁部３６ｂについての略水平に延在する部位に対する傾斜角度及び間隔と略一致する。このように、本体６１の側部６１ｂが足場板ホルダー３６に沿うように形成されていることで、本体６１、ひいては足場板６が梁枠体３の短手方向に移動することを制限して、ぐらつくことを抑制できる。
また、短手方向両側の垂下部６１ｄにおける本体６１の長手方向の両端側には、板厚方向に穿孔された通し孔６１ｅが、長手方向に所定間隔をおいて２つ形成されている。この通し孔６１ｅは、本体６１と蓋体６２とを固定する後述するリベットＲ１を通すための孔である。
【００３３】
蓋体６２は、図５に示すように、開放側を下方に向けた断面コの字状を有しており、作業者の足場となる天板部６２ａと、天板部６２ａの短手方向両端から下方（梁枠体３側）に延出する延出部６２ｂと、から構成され、アルミニウム等の板材から形成されている。
また、短手方向両側の延出部６２ｂにおける蓋体６２の長手方向の両端側には、板厚方向に穿孔された通し孔６２ｅが、長手方向に所定間隔をおいて２つ形成されている。この通し孔６２ｅは、本体６１と蓋体６２とを固定する後述するリベットＲ１を通すための孔である。
【００３４】
また、蓋体６２の延出部６２ｂは、本体６１とともに、足場板ホルダー３６の壁部３６ｂに係止することによって、蓋体６２ひいては足場板６の短手方向の移動を制限する機能を有する。延出部６２ｂは、図５（ｂ），（ｃ）に示すように、天板部６２ａよりも長手方向において短く形成されている。詳細には、延出部６２ｂには、天板部６２ａの長手方向両端から受け部６４が取り付ける部分の長さだけ短くなるように、切欠き６２ｃが形成されている。
なお、足場板６の本体６１と蓋体６２とは、板材から成るためプレス加工によって容易に成形可能であり、また、両者の間が中空を成すことにより、軽量化が図られている。
【００３５】
図９に示すように、蓋体６２における長手方向の両側端部には、後述するプレート６３が、後述する受け部６４と蓋体６２とに挟まれる位置に所謂ブラインドリベットであるリベットＲ４によって固定されている。詳細には、蓋体６２における長手方向の一端側における、短手方向中央よりも一側に、厚さ方向に貫通する通し孔６２ｄが４つ形成されている。この４つの通し孔６２ｄに対して、平面視における蓋体６２の中心を中心軸とする回転対称（２回対称）となる位置に、他の４つの通し孔６２ｄが形成されている。これらの通し孔６２ｄに、リベットＲ４が通されることによって、後述するプレート６３が蓋体６２に固定されている。プレート６３及び受け部６４についても、平面視における蓋体６２の中心を中心軸とする回転対称（２回対称）となるように、それぞれ２つ設けられている。
【００３６】
受け部６４は、後述するプレート６３を下側から支持する部材であり、図６に示すように、断面コの字状に形成されており、蓋体６２の短手方向両側に沿う部分にある両端には側部６４ｄが上方に延在して形成されている。
受け部６４は、プレート６３が取り付けられる側の蓋体６２の短手方向一側にある突出部側底部６４ｂと、嵌め合い隙間ＣＬに面する嵌合穴側底部６４ａと、から構成されている。
【００３７】
突出部側底部６４ｂには、上下方向に貫通する通し孔６４ｃが蓋体６２の短手方向に沿う方向に間隔をおいて形成されている。この通し孔６４ｃは、蓋体６２とプレート６３と受け部６４とを固定する２本のリベットＲ４を通すための孔である。
そして、突出部側底部６４ｂは、嵌合穴側底部６４ａよりも蓋体６２の長手方向に沿う方向に長く形成されている。受け部６４の突出部側底部６４ｂは、このように形成されていることで、通し孔６４ｃが設けられていることによる剛性低下を補いつつ、プレート６３との接触面積を大きくすることで、ぐらつきを抑えてプレート６３を好適に支持することが可能である。
【００３８】
側部６４ｄは、蓋体６２の高さの約１／３の高さで形成されており、その上端部が蓋体６２の短手方向両側の側面に溶接されて、蓋体６２に接合されている。また、受け部６４における蓋体６２の短手方向両端にある側部６４ｄは、その上端が蓋体６２の上面に一致する位置で、蓋体６２の短手方向両側に溶接されている。受け部６４は、隣接する足場板６における互いに対向する長手方向の端部において、蓋体６２に取り付けられている。
【００３９】
プレート６３は、図７に示すように、平面視において、２個の長方形が斜めに重なったような形状を有する。換言すると、プレート６３における一つの隅部がされた正方形状の切欠部６３ａに切り欠かれており、その対角側の隅部も長方形状の切欠部６３ｂによって切り欠かれている。なお、図３に示すプレート６３は、切欠部６３ｂや面取り６３ｃ等が示されていないが、図３に示すプレート６３は、説明のための簡略化したものであり、具体的な形状は図７に示すものである。
【００４０】
このように、プレート６３に切欠部６３ａが形成されていることで、受け部６４に切欠部６３ａの縁を当接させることで、蓋体６２の長手方向におけるプレート６３の位置決めができる。
さらに、プレート６３に切欠部６３ｂが形成されていることで、プレート６３の蓋体６２から突出する部位を蓋体６２の短手方向中央よりも端部側に配置させることができる。このため、隣接する端側足場板６ａから突出するプレート６３を連結する際に、互いのプレート６３が干渉することを抑制することができる。さらに、通し孔６３ｄが形成され蓋体６２の下方に配置される部分において、広い面積を確保して後述するリベットＲ４によって安定して取り付けることができる。
【００４１】
プレート６３におけるその他の隅部の一つには、斜めに切り欠かれた面取り６３ｃが形成されている。このように、面取り６３ｃが形成されていることで、嵌め合い隙間ＣＬにプレート６３を挿入しやすくなる。
また、プレート６３には、リベットＲ４を通す４つの通し孔６３ｄが形成されており、蓋体６２の長手方向の端部側に位置することとなる２つの通し孔６３ｄに、リベットＲ４が通されることによって、蓋体６２、受け部６４と一体的に固定されることとなる。
【００４２】
蓋体６２の短手方向両側から下方に延出する延出部６２ｂの内面側に、図８に示す取付補強プレート６５が取り付けられている。この取付補強プレート６５は、上記のように本体６１の通し孔６１ｅと蓋体６２の通し孔６２ｅとを通るリベットＲ１による取り付けの補強のために設けられるものである。取付補強プレート６５は、棒状の板材からなり、その両端側に、リベットＲ１を通すための通し孔６５ａが２つ形成されている。この２つの通し孔６５ａは、上記の本体６１の通し孔６１ｅと蓋体６２の通し孔６２ｅと略等しい間隔をおいて形成されている。
【００４３】
上記のように、足場板６の中央足場板６ｂを構成する蓋体６２には、平面視における蓋体６２の中心を中心軸とする回転対称（２回対称）となるように、プレート６３及び受け部６４が取り付けられているため方向性がない。このため、隣接する足場板６同士を取り付ける際に、中央足場板６ｂの向きを気にすることなく取り付けることが可能となり、作業効率を高めることができる。
【００４４】
また、上記のように、受け部６４の側部６４ｄの上端が蓋体６２の上面に一致するように蓋体６２に溶接されており、側部６４ｄは、蓋体６２の高さの約１／３の高さで形成されている。このため、図３（ｂ）に示すように、プレート６３の下方、厳密には受け部６４の下方にスペースＳＰが形成されている。
そして、上記のように、蓋体６２の延出部６２ｂに切欠き６２ｃが形成されていることによって、受け部６４の下方のスペースＳＰが、蓋体６２の短手方向において外部に開放されている。
このように、スペースＳＰが切欠き６２ｃによって開放されていることによって、足場板６を梁枠体３に取り付けた状態においても、作業者が梁枠体３にアクセスしやすくなる。このため、足場板６を外さずとも梁枠体３への図示せぬ手摺その他の部材の取付作業を容易に行うことができる。
【００４５】
＜クランプ部材について＞
次に、図１０〜図１２を参照して、足場板６のぐらつきを抑制する離間抑制部材としてのクランプ部材１０，１１について説明する。なお、図１０は、支柱２に取り付けられたクランプ部材１０，１１によって固定された状態の端側足場板６ａを示す斜視図、図１１は、クランプ部材１０を示す斜視図、図１２は、クランプ部材１１を示す斜視図である。
【００４６】
このクランプ部材１０，１１は、端側足場板６ａのぐらつきを直接的に抑制する機能、換言すると、梁枠体３から端側足場板６ａが離間することを抑制する機能を有する。当該機能は、クランプ部材１０，１１が、クランプ部１０ａ，１１ａにより支柱２に取り付けられて（クランプされて）、水平壁１０ｄ又は水平板１１ｂが端側足場板６ａに上方から当接することによって実現される。このように、端側足場板６ａのぐらつきを抑制できることにより、端側足場板６ａに嵌合する中央足場板６ｂのぐらつきを間接的に抑制することができ、つまりは、足場板６全体のぐらつきを抑制することができる。
【００４７】
クランプ部材１０は、クランプ部１０ａと、クランプ部１０ａの側部に取り付けられた他の部材を取り付け可能とする係止ホルダー１０ｂと、クランプ部１０ａが支柱２に取り付けられた状態において、略鉛直方向に延在する鉛直部としての鉛直壁１０ｃと、略水平方向に延在する端側足場板６ａの上面に当接する水平壁１０ｄと、から構成されている。
【００４８】
クランプ部１０ａは、ねじによる締結力を利用することによって支柱２に固定するための部位である。このクランプ部１０ａの側部に設けられた係止ホルダー１０ｂは、断面Ｕ字状に形成されて、上下に延在している。また、係止ホルダー１０ｂの断面Ｕ字の開放側を塞ぐように、略鉛直に延在する鉛直壁１０ｃが固定されている。このように、クランプ部材１０は、係止ホルダー１０ｂを備えることで、係止ホルダー１０ｂ及び鉛直壁１０ｃに囲まれた空間に、手摺や、略水平方向に足場を広げるための部材の接続部材を挿し込み嵌合させることが可能となるため、拡張性を高めることができる。
【００４９】
そして、鉛直壁１０ｃ及び水平壁１０ｄは、Ｌ字状のアングルにより一体的に形成されている。換言すると、水平壁１０ｄは、鉛直壁１０ｃの下端から鉛直壁１０ｃに垂直に折り曲がって延在するように形成されている。この水平壁１０ｄは、端側足場板６ａの上面に面接触して、端側足場板６ａの揺動を押さえる押さえ部であり、支柱２に沿う方向であるクランプ部１０ａの内面が延在する方向に対し、垂直な方向に延在している。
【００５０】
つまり、水平壁１０ｄは、梁枠体３からの離間を抑制することで、端側足場板６ａのぐらつきを抑制することができる。また、クランプ部材１０がクランプ部１０ａを有し、クランプ部１０ａによって支柱２に固定されることによって、支柱２の任意の高さ位置にクランプ部材１０を配置できることとなる。
なお、鉛直壁１０ｃと水平壁１０ｄとが一体的に形成されていると、これらの製造が容易となるため好ましい。しかしながら、両壁は、別々の部材からなり、締結具や、かしめ等によって接合（接続）されていてもよい。
【００５１】
特に、図１０に示すように、梁枠体３を支柱２に固定するための梁枠体取付部材１２が設けられている場合であっても、クランプ部材１０によれば、水平壁１０ｄで好適に端側足場板６ａの上面を押さえつけることができる。この梁枠体取付部材１２は、支柱２に梁枠体３を固定可能とするため、支柱２に沿って延在する部材である。
具体的には、クランプ部材１０によれば、係止ホルダー１０ｂによって端側足場板６ａの内側まで張り出させ、水平壁１０ｄが梁枠体取付部材１２に上下位置において重ならないように回避することができる。さらに、クランプ部材１０によれば、鉛直壁１０ｃによって端側足場板６ａに当接する位置まで下方に延在させた上で、水平壁１０ｄによって端側足場板６ａの上面を押さえることが可能となる。
【００５２】
クランプ部材１１は、クランプ部１１ａと、クランプ部１１ａの側部に取り付けられた水平板１１ｂと、水平板１１ｂとクランプ部１１ａとの取り付けを補強するリブ１１ｃと、から構成されている。
水平板１１ｂは、クランプ部１１ａが支柱２に取り付けられた状態において略水平に延在する方形状の板である。水平板１１ｂは、クランプ部材１０の水平壁１０ｄと同様、端側足場板６ａの上面に面接触して、端側足場板６ａの揺動を押さえる押さえ部であり、支柱２に沿う方向であるクランプ部１１ａの内面が延在する方向に対し、垂直な方向に延在している。つまり、水平板１１ｂは、端側足場板６ａのぐらつきを抑制する機能を有する。
リブ１１ｃは、クランプ部１１ａの側部から延在し、水平板１１ｂ側に端部が近づくように傾斜するように、側面視台形状に形成され、水平板１１ｂの上面に垂直な向きに接合されている。
このように、クランプ部材１１は、係止ホルダー１０ｂや鉛直壁１０ｃを有するクランプ部材１０と異なり、シンプルな構成を有する。クランプ部材１１は、梁枠体取付部材１２等の部材が支柱２に取り付けられていない場所において、端側足場板６ａを上方から押さえつける際に好適に用いることができる。
【００５３】
＜第１変形例＞
次に、図１３を参照して、第１変形例に係る上板としての蓋体７０について説明する。なお、図１３（ａ）は、第１変形例の蓋体７０の嵌合部分を示す斜視図、図１３（ｂ）は、隣接する蓋体７０の嵌合状態を示す斜視図である。
上記実施形態に係る足場板６は、蓋体６２にプレート６３及び受け部６４が取り付けられて構成されるものであった。そして、隣接する足場板６のうち、一方の足場板６のプレート６３を他方の嵌め合い隙間ＣＬに差し込むことによって、両者を連結するというものであった。
しかしながら、本願発明は上記実施形態に係る構成に係るものに限定されない。例えば、蓋体６２が、プレート６３や受け部６４を必ず備えるものでなくてもよい。
【００５４】
第１変形例に係る蓋体７０における、隣接する足場板６を接続（嵌合）するための構成として、蓋体７０の長手方向の端部には、蓋体７０の短手方向における中央よりも一側にある短手側延在部７０ａと、他側にある長手側延在部７０ｃとが形成されている。
【００５５】
短手側延在部７０ａは、蓋体７０の長手方向に、長手側延在部７０ｃよりも短く延在している。そして、短手側延在部７０ａの端部は側面視Ｊ字状に形成されている。このように形成された短手側延在部７０ａの端部によって、その端部の上側に蓋体７０の短手方向に延在し、後述する隣接する足場板６の突出部としての嵌合突条７０ｄに嵌合する嵌合部としての嵌合溝７０ｂが形成されている。この嵌合突条７０ｄ及び嵌合溝７０ｂは、端側足場板６ａと中央足場板６ｂとを連結する連結部として機能するものである。
【００５６】
長手側延在部７０ｃは、蓋体７０の長手方向に、短手側延在部７０ａよりも長く延在している。そして、長手側延在部７０ｃは、その端部に、側面視倒立Ｌ字状に形成された嵌合突条７０ｄを有する。換言すると、嵌合突条７０ｄは、他の部位に対して垂直に下方に向けて折り曲がって形成されている。この嵌合突条７０ｄは、その幅が対を成す嵌合溝７０ｂの幅と略一致するように形成されている。
そして、図１３（ｂ）に示すように、隣接する足場板６の蓋体７０における一方の端部に対向する、隣接する足場板６の蓋体７０における他方の端部にも、平面視における蓋体７０の中心を中心軸とする回転対称（２回対称）となるように、短手側延在部７０ａ及び長手側延在部７０ｃが形成されている。
【００５７】
このように蓋体７０が構成されていることにより、隣接する足場板６の蓋体７０の一方に設けられた嵌合突条７０ｄを、他方に設けられた嵌合溝７０ｂに上方から差し込むようにして嵌合させることで好適に嵌合させることが可能となる。
【００５８】
＜第２変形例＞
次に、図１４を参照して、第２変形例に係る上板としての蓋体７１について説明する。なお、図１４（ａ）は、第２変形例の蓋体７１の嵌合部分を示す斜視図、図１４（ｂ）は、隣接する蓋体７１の嵌合状態を示す斜視図である。
隣接する足場板６を接続（嵌合）するための構成として、第２変形例に係る蓋体７１には、第１変形例に係る蓋体７０と異なり、短手側延在部７１ａに突出部としての嵌合突条７１ｂが形成されており、長手側延在部７１ｃに嵌合部としての嵌合溝７１ｄが形成されている。この嵌合突条７１ｂ及び嵌合溝７１ｄは、端側足場板６ａと中央足場板６ｂとを連結する連結部として機能するものである。
【００５９】
このように蓋体７１が構成されていても、図１４（ｂ）に示すように、隣接する足場板６の蓋体７１の一方に設けられた嵌合突条７１ｂを、他方に設けられた対を成す嵌合溝７１ｄに嵌合させることによって、好適に嵌合させることが可能となる。
【００６０】
＜第３変形例＞
次に、図１５を参照して、第３変形例に係る上板としての蓋体７２について説明する。なお、図１５（ａ）は、第３変形例の蓋体７２の嵌合部分を示す斜視図、図１５（ｂ）は、隣接する蓋体７２の嵌合状態を示す斜視図である。
隣接する足場板６を接続（嵌合）するための構成として、第３変形例に係る蓋体７２には、第１、第２変形例に係る蓋体７０，７１と異なり、短手側延在部７２ａに嵌合部としてのスリット７２ｄを有する支持板部７２ｃが形成されており、長手側延在部７２ｅに、スリット７２ｄに挿入される突出部７２ｇが形成されている。このスリット７２ｄ及び突出部７２ｇは、端側足場板６ａと中央足場板６ｂとを連結する連結部として機能するものである。
【００６１】
短手側延在部７２ａは、蓋体７２の長手方向に長手側延在部７２ｅよりも短く延在しており、その端部にある支持板部７２ｃを下方にずれた位置に配置させる段差部７２ｂを有する。この段差部７２ｂに、蓋体７２の短手方向に長手に形成され、蓋体７２の長手方向に平行に貫通するスリット７２ｄが形成されている。そして、支持板部７２ｃは、蓋体７２の上面と平行に延在している。
【００６２】
長手側延在部７２ｅは、蓋体７２の長手方向に短手側延在部７２ａよりも長く延在しており、その端部にある突出部７２ｇを下方にずれた位置に配置させる段差部７２ｆを有する。突出部７２ｇは、蓋体７２の上面と平行に延在し、その上下幅がスリット７２ｄの上下幅と略一致するように形成されており、蓋体７２の短手方向の長さがスリット７２ｄの当該方向の長さよりも短くなるように形成されている。
そして、図１５（ｂ）に示すように、隣接する足場板６の蓋体７２にも、平面視における蓋体７２の中心を中心軸とする回転対称（２回対称）となるように、短手側延在部７２ａ及び長手側延在部７２ｅが形成されている。
【００６３】
このように蓋体７２が構成されていることにより、隣接する足場板６の蓋体７２の一方に設けられた突出部７２ｇを、他方に設けられた対を成すスリット７２ｄに蓋体７２の長手方向において差し込むようにして嵌合させることによって、好適に嵌合させることが可能となる。
【００６４】
上記実施形態においては、隣接する足場板６同士が嵌合しており、かつ足場板６のうち端部にある端側足場板６ａがクランプ部材１０，１１によって梁枠体３に押さえつけられているため、足場板６のぐらつきを容易に抑制することができる。このため、足場板６を構成する各部材を梁枠体３に溶接したり、ゴムバンド等で梁枠体３に固定する手間をかけずに、足場板６のぐらつきを抑制することができる。
【００６５】
なお、上記実施形態においては、クランプ部材１０，１１によって、端側足場板６ａを梁枠体３に押さえつけるものとして説明した。端側足場板６ａを押さえつけることによって、足場板６全体のぐらつきを抑制するのに好適であるためである。しかし、本願発明は、このような構成に限定されない。つまり、複数の足場板６のうち、少なくとも一つを梁枠体３に押さえつけることができればよい。例えば、中央足場板６ｂを梁枠体３に押さえつけるようにしても、プレート６３と嵌め合い隙間ＣＬ等に嵌合する足場板６全体のぐらつきを抑制することが可能である。
【符号の説明】
【００６６】
１  仮設足場
２  支柱
３  梁枠体
４  端部梁枠
５  中央梁枠
６  足場板
６ａ  端側足場板
６ｂ  中央足場板
１０  クランプ部材（離間抑制部材）
１０ａ  クランプ部
１０ｂ  係止ホルダー
１０ｃ  鉛直壁（鉛直部）
１０ｄ  水平壁（押さえ部）
１１  クランプ部材（離間抑制部材）
１１ａ  クランプ部
１１ｂ  水平板（押さえ部）
１１ｃ  リブ
１２  梁枠体取付部材
２１  係止ホルダー
３６  足場板ホルダー
３６ｂ  壁部（係止突出部）
４５  係止片
６１  本体
６１ａ  底部
６１ｂ  側部
６１ｃ  縁部
６１ｄ  垂下部
６１ｅ  通し孔
６２  蓋体（上板）
６２ａ  天板部
６２ｂ  延出部
６２ｃ  切欠き
６２ｄ，６２ｅ  通し孔
６３  プレート（突出部、連結部）
６３ａ，６３ｂ  切欠部
６３ｃ  面取り
６３ｄ  通し孔
６４  受け部
６４ａ  嵌合穴側底部
６４ｂ  突出部側底部
６４ｃ  通し孔
６４ｄ  側部
６５  取付補強プレート
６５ａ  通し孔
７０  蓋体（上板）
７０ａ  短手側延在部
７０ｂ  嵌合溝（嵌合部、連結部）
７０ｃ  長手側延在部
７０ｄ  嵌合突条（突出部、連結部）
７１  蓋体（上板）
７１ａ  短手側延在部
７１ｂ  嵌合突条（突出部、連結部）
７１ｃ  長手側延在部
７１ｄ  嵌合溝（嵌合部、連結部）
７２  蓋体（上板）
７２ａ  短手側延在部
７２ｂ  段差部
７２ｃ  支持板部
７２ｄ  スリット（嵌合部、連結部）
７２ｅ  長手側延在部
７２ｆ  段差部
７２ｇ  突出部（連結部）
ＣＬ  嵌め合い隙間（嵌合部、連結部）
Ｒ１，Ｒ４  リベット
ＳＰ  スペース
【図１】
0006779046.tif 000002
【図２】
0006779046.tif 000003
【図３】
0006779046.tif 000004
【図４】
0006779046.tif 000005
【図５】
0006779046.tif 000006
【図６】
0006779046.tif 000007
【図７】
0006779046.tif 000008
【図８】
0006779046.tif 000009
【図９】
0006779046.tif 000010
【図１０】
0006779046.tif 000011
【図１１】
0006779046.tif 000012
【図１２】
0006779046.tif 000013
【図１３】
0006779046.tif 000014
【図１４】
0006779046.tif 000015
【図１５】
0006779046.tif 000016